(57)【特許請求の範囲】
【請求項１】
使用者の耳に装着される眼電位測定装置であって、
第１支持部と、
前記第１支持部に連設され、前記第１支持部との間に、装着時に少なくとも前記使用者の耳の一部分を挟持する挟持部を形成する状態に設けられている第２支持部と、
前記第１支持部に設けられ、前記使用者の眼電位を測定する測定電極と、
前記測定電極から離れた位置に設けられている基準電極と、
前記第２支持部に設けられ、装着状態となるときに前記使用者の外耳道孔に挿入されるイヤーパッド部と、
を備え、
前記挟持部の幅は、前記使用者の耳珠を挟持する幅に設定されている眼電位測定装置。
【請求項２】
前記イヤーパッド部は、スピーカー部を介して設けられている請求項１に記載の眼電位測定装置。
【請求項３】
第１支持部と、
前記第１支持部に連設され、前記第１支持部との間に、使用者の耳への装着時に少なくとも前記使用者の耳の一部分を挟持する挟持部を形成する状態に設けられている第２支持部と、
前記第１支持部に設けられ、前記使用者の眼電位を測定する測定電極と、
前記測定電極から離れた位置に設けられている基準電極と、
前記第２支持部に設けられ、装着状態となるときに前記使用者の外耳道孔に挿入されるイヤーパッド部と、を備え、前記挟持部の幅は、前記使用者の耳珠を挟持する幅に設定されている眼電位測定装置と、
前記眼電位測定装置によって取得した眼電位の変化に基づいて、指令を発する制御部と、
を備える電子装置。
【発明の詳細な説明】
【技術分野】
【０００１】
本発明は、眼電位測定装置及び電子装置に関する。
【背景技術】
【０００２】
従来、使用者の眼球動作に伴う電位（以下、眼電位という）の変化を検出し、その眼電位の変化に基づく信号を発する装置が知られている。例えば、耳介周囲電極が設けられている耳介装着部と頭部装着部とを備えた顔面情報検出装置が提案されている（例えば、特許文献１参照）。また、耳介の耳輪脚と下対輪脚との間の窪み（耳ポケット）に先端が嵌め込まれる略円錐形の検出電極を備えた生体信号測定装置が提案されている（例えば、特許文献２参照）。さらに、外耳道孔に装着され、銀又は塩化銀を含有する導電性ゴムで構成される耳装着部を備えたイヤホンが提案されている（例えば、特許文献３参照）。
【先行技術文献】
【特許文献】
【０００３】
【特許文献１】特開２００６−３４０９８６号公報
【特許文献２】特開２０１１−５１７６号公報
【特許文献３】特開２０１４−２１５９６３号公報
【発明の概要】
【発明が解決しようとする課題】
【０００４】
ところで、眼電位の変化を精度よく検出するために、眼電位を測定する測定電極は、皮膚に圧接させることが望ましい。また、眼電位を測定する装置は、使用者への装着性を考慮すると、できるだけ小型であることが望ましい。さらに、眼電位を測定する測定電極は、眼電位の変化を捉えやすい眼球に近い位置に設置されることが望ましい。特許文献１は、弾性を発揮することができる頭部装着部を備えることで、耳介装着部に設けられている測定電極（耳介周囲電極）を使用者の皮膚に圧接させることができるが、いわゆるヘッドフォン型となるため、装置は大型となる。特許文献２や特許文献３は、いわゆるイヤホン型とすることで装置を小型化することができ、耳ポケットや外耳道孔に装着される部分に測定電極（検出電極等）を設けることで、この測定電極を皮膚に圧接させることができる。しかしながら、測定電極の位置が眼球から離れてしまう。このように、いずれの文献も改良の余地があった。
【０００５】
１つの側面では、本明細書開示の眼電位測定装置及び電子装置は、装置を小型化しつつ、眼球に近い位置に眼電位を測定する測定電極を圧接することを課題とする。
【課題を解決するための手段】
【０００６】
本明細書開示の眼電位測定装置は、使用者の耳に装着される眼電位測定装置であって、第１支持部と、前記第１支持部に連設され、前記第１支持部との間に、装着時に少なくとも前記使用者の耳の一部分を挟持する挟持部を形成する状態に設けられている第２支持部と、前記第１支持部に設けられ、前記使用者の眼電位を測定する測定電極と、前記測定電極から離れた位置に設けられている基準電極と、前記第１支持部と前記第２支持部のいずれか一方に設けられ、装着状態となるときに前記使用者の外耳道孔に挿入されるイヤーパッド部と、を備える。
【０００７】
本明細書開示の電子装置は、第１支持部と、前記第１支持部に連設され、前記第１支持部との間に、使用者の耳への装着時に少なくとも前記使用者の耳の一部分を挟持する挟持部を形成する状態に設けられた第２支持部と、前記第１支持部に設けられ、前記使用者の眼電位を測定する測定電極と、装着状態のときに前記測定電極よりも下側となる位置に設けられている基準電極と、前記第１支持部と前記第２支持部のいずれか一方に設けられ、装着状態となるときに前記使用者の外耳道孔に挿入されるイヤーパッド部と、を備える眼電位測定装置と、前記眼電位測定装置によって取得した眼電位の変化に基づいて、指令を発する制御部と、を備える。
【発明の効果】
【０００８】
本明細書開示の眼電位測定装置及び電子装置によれば、装置を小型化しつつ、眼球に近い位置に眼電位を測定する測定電極を圧接することができる。
【図面の簡単な説明】
【０００９】
【図１】図１は第１実施形態の電子装置の機能ブロック図の一例である。
【図２】図２（Ａ）〜（Ｃ）は第１実施形態における右耳用眼電位測定装置の三面図であり、図２（Ａ）は正面図、図２（Ｂ）は背面図、図２（Ｃ）は右側面図である。
【図３】図３（Ａ）は右耳の各部名称を示す説明図であり、図３（Ｂ）は右耳に右耳用眼電位測定装置を装着した状態を示す説明図である。
【図４】図４は右耳に右耳用眼電位測定装置を装着した使用者の上方から観た様子を模式的に示す説明図である。
【図５】図５（Ａ）は眼球が正面を向いた状態のときの眼球周囲の帯電状態を模式的に示す説明図であり、図５（Ｂ）は眼球が右側を向いた状態のときの眼球周囲の帯電状態を模式的に示す説明図である。
【図６】図６は第１実施形態の耳装着デバイスの説明図である。
【図７】図７（Ａ）は左を向いたときの出力を示し、図７（Ｂ）は右を向いたときの出力を示す説明図である。
【図８】図８は眼球の動きに伴う眼電位の出力変化の一例を示す説明図である。
【図９】図９（Ａ）は第２実施形態の右耳用眼電位測定装置の正面図であり、図９（Ｂ）は第２実施形態の右耳用眼電位測定装置の背面図である。
【図１０】図１０は第２実施形態の右耳用眼電位測定装置を右耳に装着する様子を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１１】
（第１実施形態）
まず、図１乃至図８を参照しつつ、第１実施形態の電子装置１００について説明する。図１は第１実施形態の電子装置の機能ブロック図の一例である。図２（Ａ）〜（Ｃ）は第１実施形態における右耳用眼電位測定装置の三面図であり、図２（Ａ）は正面図、図２（Ｂ）は背面図、図２（Ｃ）は右側面図である。図３（Ａ）は右耳の各部名称を示す説明図であり、図３（Ｂ）は右耳に右耳用眼電位測定装置を装着した状態を示す説明図である。図４は右耳に右耳用眼電位測定装置を装着した使用者の上方から観た様子を模式的に示す説明図である。図５（Ａ）は眼球が正面を向いた状態のときの眼球周囲の帯電状態を模式的に示す説明図であり、図５（Ｂ）は眼球が右側を向いた状態のときの眼球周囲の帯電状態を模式的に示す説明図である。図６は第１実施形態の耳装着デバイスの説明図である。図７（Ａ）は左を向いたときの出力を示し、図７（Ｂ）は右を向いたときの出力を示す説明図である。図８は眼球の動きに伴う眼電位の出力変化の一例を示す説明図である。
【００１２】
図１を参照すると、電子装置１００は、耳装着デバイス１と、携帯端末装置３とを含む。耳装着デバイス１と携帯端末装置３とは、コード２で接続されている。耳装着デバイス１は、右耳用眼電位測定装置１Ｒと、左耳用眼電位測定装置１Ｌとを含む。なお、耳装着デバイス１は、右耳用眼電位測定装置１Ｒと、左耳用眼電位測定装置１Ｌのいずれか一方を含む形態であってもよい。右耳用眼電位測定装置１Ｒは、眼電位を測定する測定電極１Ｒ４、スピーカー部１Ｒ２１及び基準電極１Ｒ５を備える。右耳用眼電位測定装置１Ｒの具体的な構成については、後に詳述する。左耳用眼電位測定装置１Ｌも同様に眼電位を測定する測定電極１Ｌ４、スピーカー部１Ｌ２１及び基準電極１Ｌ５を備える。右耳用眼電位測定装置１Ｒ及び左耳用眼電位測定装置１Ｌはそれぞれ眼電位測定装置に相当する。
【００１３】
図２（Ａ）〜（Ｃ）を参照すると、右耳用眼電位測定装置１Ｒは、第１支持部１Ｒ１及び第２支持部１Ｒ２を備える。本実施形態における第１支持部１Ｒ１及び第２支持部１Ｒ２は、いずれもシリコン製であるが、プラスチック樹脂等、従来公知の材料を用いてもよい。第１支持部１Ｒ１は、薄板状に形成されている。第１支持部１Ｒ１と第２支持部１Ｒ２とは、それぞれの一端部及び他端部において連設されている。右耳用眼電位測定装置１Ｒは、第１支持部１Ｒ１と第２支持部１Ｒ２とが連設されている一端部及び他端部がそれぞれ上端部と下端部となるように、使用者に装着される。第１支持部１Ｒ１と第２支持部１Ｒ２との間には、使用者の耳の一部を挟持する挟持部となる耳珠挿通部１Ｒ３が形成されている。すなわち、本実施形態の右耳用眼電位測定装置１Ｒは、挟持する使用者の耳の一部分として、耳珠５０ｄを選定し、第１支持部１Ｒ１と第２支持部１Ｒ２とによって耳珠５０ｄを挟持するようになっている。
【００１４】
使用者の右耳５０Ｒの各部の名称は、図３（Ａ）に示す如くである。すなわち、右耳５０Ｒは、耳介５０Ｒ１、耳輪５０ａ、対輪５０ｂ、外耳道孔５０ｃ、耳珠５０ｄ、対珠５０ｅ及び耳垂５０ｆを備える。ここで、耳珠５０ｄは、外耳道孔５０ｃの直前に形成されている突起状の部分である。このような突起状の部分は、第１支持部１Ｒ１と第２支持部１Ｒ２とによって挟持することができる。耳珠５０ｄは、それ自身、弾性を備えており、右耳用眼電位測定装置１Ｒを右耳５０Ｒに装着する際に安定した装着に寄与する。本実施形態では、右耳用眼電位測定装置１Ｒを右耳５０Ｒに装着する際に、耳珠５０ｄを耳珠挿通部１Ｒ３に挿通させる。耳珠挿通部１Ｒ３の幅、すなわち、第１支持部１Ｒ１と第２支持部１Ｒ２との間隔は、使用者の耳珠５０ｄを挟持する幅に設定されている。本実施例では、第１支持部１Ｒ１に、第２支持部１Ｒ２側に向かって突出する第１突起部１Ｒ１１が設けられている。また、第２支持部１Ｒ２に、第１支持部１Ｒ１側に向かって突出する第２突起部１Ｒ２３が設けられている。第１突起部１Ｒ１１及び第２突起部１Ｒ２３は、耳珠挿通部１Ｒ３の幅を狭めることで、右耳用眼電位測定装置１Ｒの安定的な装着に寄与する。なお、本実施形態の第１支持部１Ｒ１と第２支持部１Ｒ２とは、それぞれの一端部及び他端部において連設されているが、第１支持部１Ｒ１と第２支持部１Ｒ２とは、少なくともいずれか一方の端部で接続されていればよい。
【００１５】
図２（Ａ）を参照すると、右耳用眼電位測定装置１Ｒは、第１支持部１Ｒ１の正面側に、使用者の眼電位を測定する測定電極１Ｒ４を備える。ここで、正面側とは、装着時に使用者の皮膚と対向する側である。図２（Ｃ）を参照すると、右耳用眼電位測定装置１Ｒは、スピーカー部１Ｒ２１と、イヤーパッド部１Ｒ２２を備える。イヤーパッド部１Ｒ２２は、スピーカー部１Ｒ２１を介して第２支持部１Ｒ２に設けられている。スピーカー部１Ｒ２１の内部には、音を発するための部品が収納されている。図３（Ｂ）に示すように、右耳用眼電位測定装置１Ｒを右耳５０Ｒに装着するとき、イヤーパッド部１Ｒ２２は、図４に示すように外耳道孔５０ｃ内に挿入された状態となる。このとき、イヤーパッド部１Ｒ２２の基端側に位置しているスピーカー部１Ｒ２１は、図４において、矢示５ａで示すように耳珠５０ｄを使用者の顔４０の前方へ押し広げる。また、第１支持部１Ｒ１も矢示５ｂで示すように、顔４０の前方に向かって押される。これにより、第１支持部１Ｒ１は、矢示５ｃで示すように、顔４０の中心側へ押される。これにより、第１支持部１Ｒ１に設けられている測定電極１Ｒ４が使用者の皮膚へ圧接される。
【００１６】
なお、本実施形態では、スピーカー部１Ｒ２１を設けているが、スピーカー部１Ｒ２１の内部には、眼電位測定装置の用途に応じて、他の部品を組み込むこともできる。また、眼電位の測定のみを目的とする場合には、スピーカー部１Ｒ２１内の部品を取り去ってしまうこともできる。
【００１７】
図２（Ａ）を参照すると、右耳用眼電位測定装置１Ｒは、装着状態となるときに測定電極１Ｒ４よりも下側となる位置に設けられている基準電極１Ｒ５を備える。基準電極１Ｒ５は、第１支持部１Ｒ１と第２支持部１Ｒ２が下端部で合流している部分に設けられている。基準電極１Ｒ５は、いわゆるアース電極である。基準電極１Ｒ５は、測定電極１Ｒ４と同様に右耳用眼電位測定装置１Ｒの正面側に設けられている。基準電極１Ｒ５は、第１支持部１Ｒ１と第２支持部１Ｒ２のいずれかに設けられていればよい。基準電極１Ｒ５は、測定電極１Ｒ４からできるだけ離れていた方がよく、本実施形態の基準電極１Ｒ５は、耳垂５０ｆに接触できるように配置されている。なお、基準電極の位置は測定電極の下側である必然性はなく、他の位置に配置してもよい。基準電極１Ｒ５は、安定して眼電位を測定するために装備されているものであり、電位差の基準を定めるものである。このため、基準電極１Ｒ５は、眼電位を測定しているときに、必ずしも使用者の皮膚に圧接していることが求められるものではない。すなわち、基準電極１Ｒ５は、測定電極１Ｒ４と比較すると、皮膚への密着性の重要度は低く、ある程度、皮膚に接触することができればよい。第１支持部１Ｒ１と第２支持部１Ｒ２とが下端部で合流してない態様であるときも、基準電極１Ｒ５は、第１支持部１Ｒ１と第２支持部１Ｒ２のいずれかに設けられていればよい。
【００１８】
なお、左耳用眼電位測定装置１Ｌは、右耳用眼電位測定装置１Ｒと同様に、第１支持部１Ｌ１、第１突起部１Ｌ１１、第２支持部１Ｌ２、スピーカー部１Ｌ２１、イヤーパッド部１Ｌ２２、第２突起部１Ｌ２３を備える。そして、第１支持部１Ｌ１と第２支持部１Ｌ２との間には耳珠挿通部１Ｌ３が形成されている。また、左耳用眼電位測定装置１Ｌには、測定電極１Ｌ４及び基準電極１Ｌ５が備えられる。左耳用眼電位測定装置１Ｌは、右耳用眼電位測定装置１Ｒと比較して、その向きが異なるだけで、各構成要素は、右耳用眼電位測定装置１Ｒの構成要素と共通するので、その詳細な説明は省略する。
【００１９】
ここで、図５（Ａ）及び図５（Ｂ）を参照しつつ、眼電位測定原理について説明する。人間の眼球４５Ｒ、４５Ｌは、図５（Ａ）に示すように、角膜側が正（＋）に帯電し、網膜側が負（−）に帯電していることが知られている。このため、例えば、図５（Ｂ）に示すように、眼球４５Ｒ、４５Ｌが右を向くと、顔面側において、右側が正電位（＋）となり、左側が負電位（−）となる。図示していないが、眼球４５Ｒ、４５Ｌが左を向くと、顔面側において、左側が正電位（＋）となり、右側が負電位（−）となる。このように、眼球動作に伴い、その周囲の眼電位が変化するため、眼電位測定装置は、この眼電位の変化を捕捉する。補足された眼電位の変化は、信号として利用することができる。眼電位の測定については、従来、ＥＯＧ（Electrooculography）法が知られており、本実施形態においても、これを利用することができる。眼電位は、測定電極１Ｒ４、１Ｌ５を眼球に近い位置に設置するほど検出しやすい。
【００２０】
本実施形態では、この眼電位の変化を図６に示すような反転増幅回路４を用いて検出している。反転増幅回路４は、オペアンプ４ａを備える。オペアンプ４ａは、マイナス端子４ａ１とプラス端子４ａ２を備える。反転増幅回路４は、第１入力端子４ｂ、第２入力端子４ｃ及び出力端子４ｄを備える。反転増幅回路４の第１入力端子４ｂには、左耳用眼電位測定装置１Ｌが備える測定電極１Ｌ４が接続されている。反転増幅回路４の第２入力端子４ｃには、右耳用眼電位測定装置１Ｒが備える測定電極１Ｒ４が接続されている。反転増幅回路４の第１入力端子４ｂとオペアンプ４ａのマイナス端子４ａ１との間には、第１抵抗４ｅが設けられている。第１抵抗４ｅとマイナス端子４ａ１との間には、第２抵抗４ｆの一端側が接続されている。第２抵抗４ｆの他端側は、オペアンプ４ａの出力端子４ｄ側に接続されている。反転増幅回路４の第２入力端子４ｃとオペアンプ４ａのプラス端子４ａ２との間には、グランド４ｇが設けられている。グランド４ｇには、右耳用眼電位測定装置１Ｒの基準電極１Ｒ５と、左耳用眼電位測定装置１Ｌの基準電極１Ｌ５が接続されている。
【００２１】
反転増幅回路４は、右耳用眼電位測定装置１Ｒの測定電極１Ｒ４左耳用眼電位測定装置１Ｌの測定電極１Ｌ４との差の電圧を増幅する回路である。このため、反転増幅回路４の出力Ｖｏｕｔは、入力に対して反転することになる。
【００２２】
このような反転増幅回路４を用いた場合の出力につき、図７（Ａ）及び図７（Ｂ）を参照しつつ説明する。図７（Ａ）に示すように、眼球４５Ｒ、４５Ｌが左を向いたときは、反転増幅回路４の第１入力端子４ｂにプラス（＋）の信号が入力され、第２入力端子４ｃにマイナス（−）の信号が入力される。この結果、出力端子４ｄからは、マイナス（−）の信号が出力される。一方、図７（Ｂ）に示すように、眼球４５Ｒ、４５Ｌが右を向いたときは、反転増幅回路４の第１入力端子４ｂにマイナス（−）の信号が入力され、第２入力端子４ｃにプラス（＋）の信号が入力される。この結果、出力端子４ｄからは、プラス（＋）の信号が出力される。このように、眼球運動の種類により、異なる信号を出力することができる。なお、反転増幅回路４は、眼電位の変化を検出するための手段の一例であり、他の公知の手段を用いて眼電位の変化を検出するようにしてもよい。また、右耳用眼電位測定装置１Ｒと左耳用眼電位測定装置１Ｌのいずれか一方を装着した場合であっても、測定電極１Ｒ４又は測定電極１Ｌ４によって電位の変化を捕捉することができるので眼電位の変化を測定することができる。
【００２３】
ここで、図８を参照しつつ、眼球の動きに伴う眼電位の出力変化の一例について説明する。まず、時刻ｔ＝ｔ０の時点において、眼球４５Ｒ、４５Ｌが正面を向いていると、眼電位の出力Ｖｏｕｔは、０を示す。そして、時刻ｔ＝ｔ１において、眼球４５Ｒ、４５Ｌを左に向けると、眼電位の出力Ｖｏｕｔは、マイナス側の値を示す。なお、眼電位は、静電位であるため、理想的には、眼球が左を向いたままであると、一定値を維持するはずであるが、装置におけるリーク電流等の影響を受けることで、実際の出力電位は、図８に示すように徐々に低下する。また、眼電位のピーク値は、眼球がどの程度移動いたか、すなわち、どの程度、側方を向いたかに依存している。このため、側方を見れば見るほど眼電位のピーク値は大きくなる。
【００２４】
時刻ｔ＝ｔ２において、眼球４５Ｒ、４５Ｌを右に向けると、眼電位の出力Ｖｏｕｔは、プラス側の値を示し、時刻ｔ＝ｔ３において、眼球４５Ｒ、４５Ｌを左に向けると、眼電位の出力Ｖｏｕｔは、再び、マイナス側の値を示す。そして、時刻ｔ＝ｔ４において、眼球４５Ｒ、４５Ｌを右に向けると、眼電位の出力Ｖｏｕｔは、プラス側の値を示す。このような出力Ｖｏｕｔを信号とし、この信号を種々組み合わせることで、携帯端末装置３を制御することができる。
【００２５】
携帯端末装置３は、音楽や音声等を発することができるプレーヤーである。使用者は、スピーカー部１Ｒ２１やスピーカー部１Ｌ２１を通じて、音声を聞くことができる。使用者は、眼球を動かすことで、眼電位を変化させ、その眼電位の変化によって、携帯端末装置３を操作することができる。携帯端末装置３は、バス３ａを備え、このバス３ａにＣＰＵ（Central Processing Unit）３ｂ、ディスプレイインターフェース３ｃ、タッチパネルインターフェース３ｄ、無線通信インターフェース３ｅ及び有線通信インターフェース３ｆを備える。本実施例では、有線通信インターフェース３ｆに接続されたコード２を介して耳装着デバイス１と携帯端末装置３とが接続されているが、耳装着デバイス１と携帯端末装置３とは、無線通信インターフェース３ｅを介して接続してもよい。バス３ａには、ＲＡＭ（Random Access Memory）３ｇ、内蔵ストレージ３ｈ及び記憶媒体３ｉが接続されている。記憶媒体３ｉには、オペレーションシステム、アプリプログラム及びデータファイルが格納されている。データファイルは、例えば、音楽ファイルである。オペレーションシステムやアプリプログラムは、ＣＰＵ３ｂによって実行される。バス３ａに接続されたＣＰＵ３ｂ、ＲＡＭ３ｇ等は、協働することで制御部として機能する。
【００２６】
携帯端末装置３は、これらを作動させることで、曲目の選択や、演奏の開始、停止、早送り等の動作を実行する。使用者は、携帯端末装置３を、眼球動作によって操作したいとき、携帯端末装置３の設定を眼電位入力モードに設定しておく。これにより、携帯端末装置３に所望の動作をさせる際、眼球を動かすことで、信号を発し、携帯端末装置３を操作することができる。例えば、アプリプログラムにおいて、「連続して右を二回見る」との眼球動作と、「次曲に飛ぶ」との携帯端末装置３の動作を関連付けておく。この場合、使用者が連続して右を二回見る動作を行うと、反転増幅回路４からは、プラス（＋）→マイナス（−）→プラス（＋）→マイナス（−）の出力がされる。携帯端末装置３は、このような組み合わせの信号を受けとったときに、「次曲に飛ぶ」動作を行う。このように、使用者は、手を使うことなく、携帯端末装置３を操作することができる。このような携帯端末装置３の操作は、例えば、混雑する電車内等において便利である。
【００２７】
本実施形態の眼電位測定装置（右耳用眼電位測定装置１Ｒ、左耳用眼電位測定装置１Ｌ）及び電子装置１００によれば、装置を小型化しつつ、眼球４５Ｒ、４５Ｌに近い位置に眼電位を測定する測定電極１Ｒ４、１Ｌ４を圧接することができる。すなわち、右耳用眼電位測定装置１Ｒはいわゆるイヤホン型であるため、非常に小型である。また、右耳用眼電位測定装置１Ｒは、イヤーパッド部１Ｒ２２やスピーカー部１Ｒ２１を外耳道孔５０ｃに挿入し、耳珠挿通部１Ｒ３で耳珠５０ｄを挟持する。このため、右耳用眼電位測定装置１Ｒは、安定した状態で右耳５０Ｒに装着される。このとき、イヤーパッド部１Ｒ２２やスピーカー部１Ｒ２１耳珠５０ｄを前方へ押し広げるため、第１支持部１Ｒ１に設けられた測定電極１Ｒ４が皮膚に圧接される。また、第１支持部１Ｒ１に設けられている測定電極１Ｒ４は、例えば、外耳道孔に挿入される部分に測定電極を設置した場合と比較して、眼球４５Ｒの近くに位置している。この結果、眼電位の感度が高い。これの効果は、左耳用眼電位測定装置１Ｌも共通である。
【００２８】
（第２実施形態）
つぎに、図９（Ａ）、図９（Ｂ）及び図１０を参照しつつ、第２実施形態について説明する。図９（Ａ）は第２実施形態の右耳用眼電位測定装置の正面図であり、図９（Ｂ）は第２実施形態の右耳用眼電位測定装置の背面図である。図１０は第２実施形態の右耳用眼電位測定装置を右耳に装着する様子を示す説明図である。
【００２９】
第２実施形態の右耳用眼電位測定装置１１Ｒが第１実施形態の右耳用眼電位測定装置１Ｒとの第１の相違点は、スピーカー部１１Ｒ１１及びイヤーパッド部１１Ｒ１２が第１支持部１１Ｒ１に設けられている点である。また、第２の相違点は、第２実施形態の右耳用眼電位測定装置１１Ｒが、第１実施形態の右耳用眼電位測定装置１Ｒが備える耳珠挿通部１Ｒ３に代えて、耳介挿通部１１Ｒ３を備える点である。測定電極１１Ｒ４が第１支持部１１Ｒ１に設けられている点は、第１実施形態と同様である。
【００３０】
第１実施形態では、装着状態における右耳用眼電位測定装置１Ｒの第１支持部１Ｒ１が耳珠５０ｄの前側を通過し、第２支持部１Ｒ２が外耳道孔５０ｃ上を通過する。これに対し、第２実施形態では、装着状態における右耳用眼電位測定装置１１Ｒの第１支持部１１Ｒ１が外耳道孔５０ｃ上を通過し、第２支持部１１Ｒ２が耳介５０Ｒ１の後側を通過する。
【００３１】
第１支持部１１Ｒ１と第２支持部１１Ｒ２とは、上端部で連設されている。そして、第１支持部１１Ｒ１の下端部に設けられている挿通孔１１Ｒ１３に第２支持部１１Ｒ２の下端部に設けられている挿通部１１Ｒ２１を挿通させている。挿通部１１Ｒ２１の挿通孔１１Ｒ１３への挿通具合を調整することで、耳介挿通部１１Ｒ３の寸法を調整することができる。基準電極１１Ｒ５は、第１支持部１１Ｒ１の挿通孔１１Ｒ１３の上側に設けられている。基準電極１１Ｒ５は、第１実施形態と同様に、耳垂５０ｆに接触することができる。
【００３２】
第２実施形態の右耳用眼電位測定装置１１Ｒを装着する際、耳介挿通部１１Ｒ３の寸法を調整することで、安定した状態で右耳５０Ｒに装着することができる。また、右耳用眼電位測定装置１１Ｒを右耳５０Ｒに装着すると、弾性を有する耳介５０Ｒ１が後方の元位置に復帰しようとする。これにより、第１支持部１１Ｒ１も後方に引かれる状態となる。この結果、第１支持部１１Ｒ１に設けられている測定電極１１Ｒ４を皮膚に密着させることができる。なお、測定電極１１Ｒ４は、耳珠５０ｄの付け根あたりに密着する。すなわち、測定電極１１Ｒ４は、外耳道孔５０ｃよりも前側に密着することができる。
【００３３】
以上説明したように、第２実施例においても、第１実施例と同様の効果を得ることができる。なお、第２実施形態に第１実施形態のような耳珠挿通部を装備するようにしてもよい。
【００３４】
以上本発明の好ましい実施形態について詳述したが、本発明は係る特定の実施形態に限定されるものではなく、特許請求の範囲に記載された本発明の要旨の範囲内において、種々の変形、変更が可能である。
【００３５】
なお、以上の実施形態の説明に関して、更に以下の付記を開示する。
（付記１）
使用者の耳に装着される眼電位測定装置であって、
第１支持部と、
前記第１支持部に連設され、前記第１支持部との間に、装着時に少なくとも前記使用者の耳の一部分を挟持する挟持部を形成する状態に設けられている第２支持部と、
前記第１支持部に設けられ、前記使用者の眼電位を測定する測定電極と、
前記測定電極から離れた位置に設けられている基準電極と、
前記第１支持部と前記第２支持部のいずれか一方に設けられ、装着状態となるときに前記使用者の外耳道孔に挿入されるイヤーパッド部と、
を備えた眼電位測定装置。
（付記２）
前記イヤーパッド部は、スピーカー部を介して前記第１支持部と前記第２支持部のいずれか一方に設けられている付記１に記載の眼電位測定装置。
（付記３）
前記イヤーパッド部は、前記第２支持部に設けられ、
前記挟持部の幅は、前記使用者の耳珠を挟持する幅に設定されている付記１に記載の眼電位測定装置。
（付記４）
前記イヤーパッド部は、前記第１支持部に設けられ、
装着状態となるときに、前記第２支持部は、前記使用者の耳介の後側に配置される位置に設けられている付記１に記載の眼電位測定装置。
（付記５）
第１支持部と、
前記第１支持部に連設され、前記第１支持部との間に、使用者への耳への装着時に少なくとも前記使用者の耳の一部分を挟持する挟持部を形成する状態に設けられている第２支持部と、
前記第１支持部に設けられ、前記使用者の眼電位を測定する測定電極と、
前記測定電極から離れた位置に設けられている基準電極と、
前記第１支持部と前記第２支持部のいずれか一方に設けられ、装着状態となるときに前記使用者の外耳道孔に挿入されるイヤーパッド部と、を備える眼電位測定装置と、
前記眼電位測定装置によって取得した眼電位の変化に基づいて、指令を発する制御部と、
を備える電子装置。
（付記６）
前記イヤーパッド部は、スピーカー部を介して前記第１支持部と前記第２支持部のいずれか一方に設けられている付記５に記載の電子装置。
（付記７）
前記イヤーパッド部は、前記第２支持部に設けられ、
前記挟持部の幅は、前記使用者の耳珠を挟持する幅に設定されている付記５に記載の電子装置。
（付記８）
前記イヤーパッド部は、前記第１支持部に設けられ、
装着状態となるときに、前記第２支持部は、前記使用者の耳介の後側に配置される位置に設けられている付記５に記載の電子装置。
【符号の説明】
【００３６】
１  耳装着デバイス
１Ｒ、１１Ｒ  右耳用眼電位測定装置
１Ｌ  左耳用眼電位測定装置
１Ｒ１、１Ｌ１、１１Ｒ１  第１支持部
１Ｒ２、１Ｌ２、１１Ｒ２  第２支持部
１Ｒ２１、１Ｌ２１、１１Ｒ１１  スピーカー部
１Ｒ２２、１Ｌ２２、１１Ｒ１２  イヤーパッド部
１Ｒ３、１Ｌ３  耳珠挿通部
１Ｒ４、１Ｌ４、１１Ｒ４  測定電極
１Ｒ５、１Ｌ５、１１Ｒ５  基準電極
３  携帯端末装置
４５Ｒ  右眼球
４５Ｌ  左眼球
１００  電子装置
１１Ｒ１３  挿通孔
１１Ｒ２１  挿通部
１１Ｒ３  耳介挿通部
【図１】
0006746997.tif 000002
【図２】
0006746997.tif 000003
【図３】
0006746997.tif 000004
【図４】
0006746997.tif 000005
【図５】
0006746997.tif 000006
【図６】
0006746997.tif 000007
【図７】
0006746997.tif 000008
【図８】
0006746997.tif 000009
【図９】
0006746997.tif 000010
【図１０】
0006746997.tif 000011